(57)【要約】【課題】簡単な構成で確実に油成分を分離、除去することができ、コストも安価な油処理方法を提供する。【解決手段】油と水が混合した液体を一旦処理槽２８中に収容し、この液体中の油３４を処理槽２８中で上昇させて分離する。処理槽２８中の液体表面に浮いた油３４の表面に、疎水性または親油性の短繊維集合体から成る油吸着材１４を散布し、油３４を油吸着材１４に吸着させる。この後液体表面に浮いた油吸着材１４を取り出して油３４を除去する。油吸着材１４は、衣服や手袋その他の繊維製品の廃棄物や使用済み品を粉砕処理したものでも良い。【選択図】　　　　図１
2004066077.tif 000002
【特許請求の範囲】
【請求項１】
油と水が混合した液体を一旦処理槽中に収容し、この液体中の油を上記処理槽中で上昇させて分離し、上記処理槽中の液体表面に浮いた油の表面に、疎水性または親油性の短繊維集合体から成る油吸着材を散布して、油を上記油吸着材に吸着させ、この後上記液体表面に浮いた上記油吸着材を取り出して油を除去することを特徴とする油処理方法。
【請求項２】
上記油吸着材は、疎水性または親油性の繊維製品の廃棄物や使用済み品を粉砕処理した短繊維集合体から成る油吸着材を用いることを特徴とする請求項１記載の油処理方法。
【発明の詳細な説明】
【０００１】
【発明の属する技術分野】
この発明は、油と水が混合した液体中の油分を除去する油処理方法に関する。
【０００２】
【従来の技術】
従来、廃液中から油成分を除去する方法は、日本粗集器工業会グリース粗集器認定委員会認定品の粗集器等を用いている。この粗集器は、その廃液溜まりに廃液を一旦留め、自然に油成分を浮かせ分離して溜め、年に数回、処理槽中の油成分全てを下層の水とともに吸引除去していた。また、廃液中の油成分を吸着分離するものとして、繊維マット等のフィルタからなる吸着材を充填した容器中に廃液を通過させ、この吸着材に油成分を吸着させて、除去する装置もあった。
【０００３】
【発明が解決しようとする課題】
上記従来の技術の、粗集器により廃液中から油成分を除去する方法は、定期的に清掃することが義務付けられているが、清掃費用が高く、清掃を怠りがちで非衛生的である。この清掃は通常、産業廃棄物処理業者に委託され、内部残留物全て回収し産業廃棄物として焼却処分されている。しかしながら、その中には、多量の水を含んでおりそれを運搬、焼却処分する為に多大な費用とエネルギーが必要である。
【０００４】
また、繊維マット等のフィルタを通過させて油成分を除去する装置は、複数種類のフィルタを組み合わせないと、効果的に油を除去することができず、構造が複雑で処理能力が低くコストもかかるものであった。
【０００５】
この発明は、簡単な構成で確実に油成分を、除去することができ、産業廃棄物を減少させ、省エネルギーでコストも安価な油処理方法を提供することを目的とする。
【０００６】
【課題を解決するための手段】
この発明は、油と水が混合した液体を一旦処理槽中に収容し、この液体中の油を上記処理槽中で上昇させて分離し、上記処理槽中の液体表面に浮いた油の表面に、疎水性または親油性の短繊維集合体から成る油吸着材を散布して、油を上記油吸着材に吸着させ、この後上記液体表面に浮いた上記油吸着材を取り出して油を除去する油処理方法である。上記短繊維集合体は、疎水性または親油性の短繊維集合体から成り、例えば、衣服や手袋その他の繊維製品の廃棄物や使用済み品を粉砕処理したものである。さらに、滑り止め手袋のように繊維製品表面にゴム被覆が施されたものを粉砕処理したものでも良い。
【０００７】
【発明の実施の形態】
以下、この発明の油処理方法の一実施の形態について説明する。先ず、この実施形態で用いる油吸着材は、種々の衣服や手袋その他の繊維製品の廃棄物または各種使用済み品を粉砕処理したもので、例えば滑り止め手袋１０の回収品を粉砕処理したものである。滑り止め手袋１０の材料は、ポリエステル、ウレタン、ナイロン、レーヨン、またはアクリル等の合成繊維で親油性の素材から成るものである。また、適宜綿、麻、ウール、絹等の天然繊維が混じっていても良いが、少なくとも親油性または疎水性の素材が大半を占めるものがよい。
【０００８】
滑り止め手袋１０を利用する場合、その表面に塗付された滑り止め部１２は天然ゴム、及び変性ゴムが好ましいが、適宜合成ゴムやＮＢＲ、ＭＢＲ、アクリル、ウレタン、シリコンゴム、塩化ビニール等の材料が混じっていても良い。滑り止め手袋１０を粉砕処理した粉体から成る油吸着材１４は、繊維長が十数ｍｍ以下の短繊維の集合体から成る。
【０００９】
この実施形態の油処理方法を適用する油処理装置は、図１に示すように、レストランの排水である液体が流れ込むものについてのもので、排水管２０と、排水管２０の出口が接続された排水槽２２と、排水槽２２で油分を除去した排水を送り出す排水管２４とを備える。
【００１０】
排水槽２２の排水管２０が接続された側には、排水管２０から来る排水の固形分を除去するフィルタ部材である網２６と、この網２６を通過した排水が一旦溜められる処理槽２８を備えている。処理槽２８は排水槽２２内に設けられ、底部２２ａに排水入口２２ｂが形成され、さらに、底部２２ａの排水入口２２ｂとは反対側に排水出口２２ｃが形成されている。処理槽２８は排水槽２２内で、隔壁３０により仕切られている。隔壁３０は排水槽２２の上方開口付近まで延びている。
【００１１】
排水槽２２の排水出口２２ｃの下流側にも排水溜まり３２が形成され、排水溜まり３２の上方に排水管２４の取水部２４ａが位置し、排水を流し出す。取水部２４ａは、排水溜まり３２の排水の上部で、排水表面よりもわずかに下側に位置している。これにより、油分を排水に流さないようにしている。取水部２４ａには上澄みのわずかな油分を濾過するフィルタ部２５が設けられていても良く、適宜網やその他のフィルタを取水部２４ａに設けても良い。
【００１２】
この実施形態の油処理方法は、油と水が混合したレストランの排水が排水管２０から排水槽２２に流れ込むと、まず、網２６により固形分が分離され、排水入口２２ｂを経て排水が処理槽２８内へ底部２２ａ側から進入する。そして、処理槽２８内で滞留する間に、排水は油３４と水３６に分離する。
【００１３】
この状態で、排水表面に浮いた油３４を除去することができる。油３４の除去は、排水表面に浮いた油３４の表面に、先ず疎水性または親油性の短繊維集合体から成る油吸着材１４を散布する。そして、油３４を油吸着材１４に吸着させ、この後、排水表面に浮いた油３４を吸着した油吸着材１４を、掻き取って処理槽２８から取り出して油３４を除去する。
【００１４】
油３４が除去された排水は、処理槽２８の底部２２ａの排水出口２２ｃから、下流側の排水溜まり３２に溜められ、排水管２４の取水部２４ａから送り出される。
【００１５】
回収した油吸着材１４は、水分を蒸発させた後、燃焼処理すればよい。また、油を分解する微生物により分解処理しても良い。
【００１６】
この実施形態の油処理方法によれば、処理槽２８表面に浮いた油分３４に、短繊維集合体から成る油吸着材１４を散布するだけで簡単に油の分離吸着を行うことができ、しかもこの油吸着材１４は排水表面に浮いた状態で留まるため、取出しも容易である。また回収した油吸着材１４の処理方法も、燃焼処理すれば良く、燃料としても利用可能である。さらに、油分解性の微生物を使用して分解することにより、処理に際してより環境に対する負荷を少なくすることができる。
【００１７】
また、油吸着材として使用する短繊維集合体は、適宜の材料を用いることができ、油を吸着しやすい材料の繊維であれば良く、衣類やその他繊維製品の廃棄物及び使用済み品や繊維屑、その他生産工程で発生する端材等を適宜利用することができる。
【００１８】
【発明の効果】
この発明の油処理方法によれば、吸引等によらず簡単に油の吸着回収を行うことができ、しかも油吸着材は産業廃棄物となる繊維製品を有効に利用することができる。さらに、回収した油の処理も、適切に燃焼させることにより、有害ガスの発生も抑えることができる。さらに、他の処理方法、例えば微生物による処理も可能であり、効率的に回収可能であるため、適宜効果的な処理が可能となる。また、回収コストが安価であり、処理排水の量の多少に関わらず利用可能である。
【図面の簡単な説明】
【図１】この発明の一実施形態の油処理装置の概略縦断面図である。
【図２】この発明の一実施形態に用いる油吸着材を示す概念図である。
【符号の説明】
１０　　滑り止め手袋
１２　　滑り止め部
１４　　油吸着材
２０，２４　　排水管
２２　　排水槽
２８　　処理槽
３４　　油
３６　　水
【図１】
2004066077.tif 000003
【図２】
2004066077.tif 000004